(57)【要約】【課題】小便器の衛生状態を良好に保持しつつ、洗浄水の節約を図ることができる小便器洗浄システムを提供する。【解決手段】このシステム１０におけるコントローラ１３は、所定時間内における想定使用者数を記憶する想定使用者数記憶手段、センサ１９が検出した所定時間内における実際の使用者数を計数する実使用者数計数手段、想定使用者数と実使用者数とを比較する使用者数比較手段、実使用者数が想定使用者数よりも多いときに、センサ１９が使用者を検出する度毎に電磁弁２０の弁機構を開いて小便器１１に洗浄水を供給する洗浄水第１供給手段、実使用者数が想定使用者数よりも少ないときに、電磁弁２０の弁機構を所定の時間間隔で開いて小便器１１に洗浄水を供給する洗浄水第２供給手段を実行する。【選択図】図１
2008291460.tif 000002
【特許請求の範囲】
【請求項１】
小便器と、前記小便器を使用する使用者を検出するセンサと、洗浄水を前記小便器に供給する給水管に取り付けられた弁機構と、前記センサと前記弁機構とが接続され、該弁機構の開閉を制御するコントローラとを含み、
前記コントローラが、所定時間内における前記小便器の想定使用者数を記憶する想定使用者数記憶手段と、前記センサが検出した前記所定時間内における前記小便器の実際の使用者数を計数する実使用者数計数手段と、前記想定使用者数と前記実使用者数とを比較する使用者数比較手段と、前記実使用者数が前記想定使用者数よりも多いときに、前記センサが使用者を検出する度毎に前記弁機構を開いて前記小便器に洗浄水を供給する洗浄水第１供給手段と、前記実使用者数が前記想定使用者数よりも少ないときに、前記弁機構を所定の時間間隔で開いて前記小便器に洗浄水を供給する洗浄水第２供給手段とを有することを特徴とする小便器洗浄システム。
【請求項２】
前記コントローラが、前記使用者数比較手段によって比較した前記想定使用者数と前記実使用者数との較差が設定較差以上または設定較差以下であるときに、前記想定使用者数を設定較差以上または設定較差以下の実使用者数に変更し、変更した想定使用者数を記憶する想定使用者数変更記憶手段を有する請求項１記載の小便器洗浄システム。
【請求項３】
前記想定使用者数変更記憶手段において前記コントローラは、前記想定使用者数と前記実使用者数との較差が設定較差以上または設定較差以下である回数が設定回数を超えたときに、前記想定使用者数を直近に計数した設定較差以上または設定較差以下の実使用者数に変更し、変更した想定使用者数を記憶する請求項２記載の小便器洗浄システム。
【請求項４】
前記コントローラが、前記洗浄水第２供給手段における前記弁機構を開く時間間隔を月単位、週単位、日単位、曜日単位、時間単位のいずれかによって変更する時間間隔変更手段を有する請求項１ないし請求項３いずれかに記載の小便器洗浄システム。
【請求項５】
前記洗浄水第２供給手段において前記コントローラは、前記センサが使用者を検出したときに、前記弁機構を開いて通常の洗浄水量よりも少ない量の洗浄水を前記小便器に供給する請求項１ないし請求項４いずれかに記載の小便器洗浄システム。
【発明の詳細な説明】
【技術分野】
【０００１】
本発明は、小便器に洗浄水を供給することで小便器を洗浄する小便器洗浄システムに関する。
【背景技術】
【０００２】
小便器と、洗浄水を貯水する洗浄水貯水槽と、貯水槽内の洗浄水を小便器と貯水槽とに循環させる洗浄水循環手段と、小便器の使用者を検出するセンサと、小水を小便器から排水管に排水するとともに、小便器に流入した洗浄水を貯水槽に流入させる切換弁とから形成された水洗トイレがある（特許文献１参照）。この水洗トイレは、センサが使用者を検出すると、切換弁が作動して小水を小便器から排水管に排水し、用を足した使用者がセンサから離れ、使用者の小便器からの離脱をセンサが検出すると、洗浄水循環手段と切換弁とが作動し、洗浄水が小便器と貯水槽とを循環する。この水洗トイレは、小便器を洗浄した後の洗浄水が洗浄水循環手段によって貯水槽に戻るから、洗浄水を小水とともに排水する場合と比較し、洗浄水の節約を図ることができる。
【特許文献１】特開２００６−３４８５２８号公報
【発明の開示】
【発明が解決しようとする課題】
【０００３】
前記特許文献１に開示の水洗トイレは、その使用頻度にもよるが、短時間に多数の使用者が使用すると、洗浄水が汚染され、洗浄水によって小便器を十分に洗浄することができず、小便器が汚れてその衛生状態を良好に保持することができない。
【０００４】
本発明の目的は、小便器の衛生状態を良好に保持しつつ、洗浄水の節約を図ることができる小便器洗浄システムを提供することにある。
【課題を解決するための手段】
【０００５】
前記課題を解決するための本発明にかかる小便器洗浄システムは、小便器と、小便器を使用する使用者を検出するセンサと、洗浄水を小便器に供給する給水管に取り付けられた弁機構と、センサと弁機構とが接続され、該弁機構の開閉を制御するコントローラとを含み、コントローラが、所定時間内における前記小便器の想定使用者数を記憶する想定使用者数記憶手段と、センサが検出した所定時間内における小便器の実際の使用者数を計数する実使用者数計数手段と、想定使用者数と実使用者数とを比較する使用者数比較手段と、実使用者数が想定使用者数よりも多いときに、センサが使用者を検出する度毎に弁機構を開いて小便器に洗浄水を供給する洗浄水第１供給手段と、実使用者数が想定使用者数よりも少ないときに、弁機構を所定の時間間隔で開いて小便器に洗浄水を供給する洗浄水第２供給手段とを有することを特徴とする。
【０００６】
本発明の一例として、コントローラは、使用者数比較手段によって比較した想定使用者数と実使用者数との較差が設定較差以上または設定較差以下であるときに、想定使用者数を設定較差以上または設定較差以下の実使用者数に変更し、変更した想定使用者数を記憶する想定使用者数変更記憶手段を有する。
【０００７】
本発明の他の一例として、想定使用者数変更記憶手段においてコントローラは、想定使用者数と実使用者数との較差が設定較差以上または設定較差以下である回数が設定回数を超えたときに、想定使用者数を直近に計数した設定較差以上または設定較差以下の実使用者数に変更し、変更した想定使用者数を記憶する。
【０００８】
本発明の他の一例として、コントローラは、洗浄水第２供給手段における弁機構を開く時間間隔を月単位、週単位、日単位、曜日単位、時間単位のいずれかによって変更する時間間隔変更手段を有する。
【０００９】
本発明の他の一例として、洗浄水第２供給手段においてコントローラは、センサが使用者を検出したときに、弁機構を開いて通常の洗浄水量よりも少ない量の洗浄水を前記小便器に供給する。
【発明の効果】
【００１０】
本発明に係る小便器洗浄システムによれば、実使用者数が想定使用者数よりも多いと判断すると、センサが使用者を検出する度毎に弁機構を開いて小便器に洗浄水を供給する洗浄水第１供給手段を実行し、実使用者数が想定使用者数よりも少ないと判断すると、弁機構を所定の時間間隔で開いて小便器に洗浄水を所定の間隔で供給する洗浄水第２供給手段を実行するから、使用者が多いときにおける小便器の衛生状態を確実に保持することができ、使用者が少ないときの洗浄水の使用量を少なくすることができる。ゆえに、この小便器洗浄システムは、小便器の衛生状態を良好に保持しつつ、洗浄水の節約を図ることができる。また、この小便器洗浄システムは、小便器の設置場所や設置数、使用者数の季節的な変動等の諸条件を考慮して想定使用者数を自由に設定することができるから、使用頻度が少ない小便器には想定使用者数を少なくして洗浄水の節約を図ることができ、使用頻度の多い小便器には想定使用者数を多くして洗浄水の節約を図ることができる。
【００１１】
使用者数比較手段によって比較した想定使用者数と実使用者数との較差が設定較差以上または設定較差以下であるときに、想定使用者数を設定較差以上または設定較差以下の実使用者数に変更する小便器洗浄システムは、想定使用者数と実使用者数との較差が大きいときに想定使用者数を実使用者数に変更するから、現実の小便器の使用頻度に合致させた状態で洗浄水第１供給手段と洗浄水第２供給手段とのうちのいずれかを実行することができ、小便器の衛生状態を確実に保持しつつ、洗浄水の節約を確実に図ることができる。
【００１２】
想定使用者数と実使用者数との較差が設定較差以上または設定較差以下である回数が設定回数を超えたときに、想定使用者数を直近に計数した設定較差以上または設定較差以下の実使用者数に変更する小便器洗浄システムは、想定使用者数と実使用者数との較差が大きい状態が継続したときに想定使用者数を実使用者数に変更するから、想定使用者数と実使用者数との較差が大きいときに直ちに想定使用者数を実使用者数に変更する場合と比較し、現実の小便器の使用頻度に一層合致させた状態で洗浄水第１供給手段と洗浄水第２供給手段とのうちのいずれかを実行することができ、小便器の衛生状態を確実に保持しつつ、洗浄水の節約を確実に図ることができる。
【００１３】
洗浄水第２供給手段における弁機構を開く時間間隔を月単位、週単位、日単位、曜日単位、時間単位のいずれかによって変更する小便器洗浄システムは、小便器における使用頻度の季節変動や時間変動等を考慮して弁機構の開時間間隔を決めることができるから、使用頻度が低い月や週、日、曜日、時間において弁機構の開時間間隔を長くすることで、洗浄水の節約を図ることができ、使用頻度が高い月や週、日、曜日、時間において弁機構の開時間間隔を短くすることで、小便器の衛生状態を良好に保持することができる。
【００１４】
洗浄水第２供給手段においてセンサが使用者を検出したときに、弁機構を開いて通常の洗浄水量よりも少ない量の洗浄水を小便器に供給する小便器洗浄システムは、弁機構を開く時間間隔が長い場合でも、使用者の検出によって少量の洗浄水を流すことができるから、小便器の汚れを防ぐことができ、小便器の衛生状態を良好に保持することができる。このシステムは、使用者の検出によって少量の洗浄水を流すから、使用者が用を足した後に洗浄水を流さない場合と比較し、使用者に不快感を与えることはない。
【発明を実施するための最良の形態】
【００１５】
添付の図面を参照し、本発明に係る小便器洗浄システムの詳細を説明すると、以下のとおりである。図１は、一例として示す小便器洗浄システム１０の概念図である。図２は、このシステム１０が実行するプロセスの一例を示すフローチャートであり、図３は、図２から続くフローチャートである。小便器洗浄システム１０は、小便器１１と、給水制御ユニット１２と、コントローラ１３とから形成されている。システム１０は、所定量の洗浄水を小便器１１内に自動的に供給し、小便器１１を洗浄する。
【００１６】
小便器１１の頂壁１４には、洗浄水を供給する給水管１５が接続されている。小便器１１の底壁１６には、排泄された小水や供給された洗浄水を下水道に排水する排水管１７が接続されている。給水制御ユニット１２は、給水管１５に接続されている。給水制御ユニット１２は、トイレ室の壁に埋め込む埋込型が使用されているが、埋込型の他に、トイレ室の壁から前方へ離間する外付け型を使用することもできる。給水制御ユニット１２は、筐体１８と、筐体１８の内部に収容された人感センサ１９および電磁弁２０（弁機構）とから形成されている。センサ１９と電磁弁２０とは、インターフェイス（無線または有線）を介してコントローラ１３に接続されている。
【００１７】
センサ１９には、光導電型や光起電型、熱電効果型等の光センサが使用されているが、光センサの他に、赤外線温度センサを使用することもできる。センサ１９の検出部（光導電素子、光起電力素子、焦電素子）は、給水制御ユニット１２の筐体１８の前壁に取り付けられ、小便器１１の前方に向かっている。小便器１１の前方に使用者が立つと、それをセンサ１９が検出し、ＯＮ信号（人検出信号）をコントローラ１３に出力する。また、用を足した使用者が小便器１１から離れると、それをセンサ１９が検出し、ＯＦＦ信号（人離脱信号）をコントローラ１３に出力する。電磁弁２０は、コントローラ１３から開信号が出力されると、それによって弁機構を開く。弁機構が開くと、給水管１５から小便器１１内へ洗浄水が流入する。また、電磁弁２０は、コントローラ１３から閉信号が出力されると、それによって弁機構を閉じる。弁機構が閉じると、小便器１１内への洗浄水の流入が停止する。
【００１８】
なお、圧力センサ（人感センサ１９）を備えたマットを小便器１１の前に設置することもできる。圧力センサは、インターフェイスを介してコントローラ１３に接続される。マットを採用した場合、小便器１１の前方に使用者が立ち、使用者がマットの上に乗ると、それを圧力センサが検出し、ＯＮ信号（人検出信号）をコントローラ１３に出力する。また、用を足した使用者が小便器１１から離れ、使用者がマットから降りると、それを圧力センサが検出し、ＯＦＦ信号（人離脱信号）をコントローラ１３に出力する。
【００１９】
コントローラ１３は、中央処理部（ＣＰＵまたはＭＰＵ）とメモリ（大容量ハードディスク）とを有するコンピュータである。コントローラ１３には、図示はしていないが、テンキーユニットやディスプレイが実装されている。コントローラ１３のメモリには、所定の手段をコントローラ１３に実行させるためのアプリケーションプログラムが格納されている。コントローラ１３の中央処理部は、メモリに格納されたオペレーティングシステムによる制御に基づいて、メモリからアプリケーションプログラムを起動し、起動したアプリケーションプログラムに従って、以下の各手段を実行する。
【００２０】
コントローラ１３は、所定時間内に小便器１１を使用すると予想される想定使用者数を記憶する想定使用者数記憶手段を実行し、所定時間内に実際に小便器１１を使用した使用者数を計数する実使用者数計数手段を実行する。所定時間は、たとえば、５分や１０分等であり、テンキーユニットによって自由に設定または変更することができる。所定時間はコントローラ１３のメモリに格納され、変更がない限り、コントローラ１３はその所定時間を継続して使用する。なお、所定時間は、小便器１１の実際の使用者数のカウント時間にもなる。想定使用者数は、たとえば、３人や５人等であり、テンキーユニットによって自由に設定または変更することができる。想定使用者数はコントローラ１３のメモリに記憶され、テンキーユニットからの変更や後記する想定使用者数変更記憶手段による変更がない限り、コントローラ１３はその想定使用者数を継続して使用する。
【００２１】
コントローラ１３は、センサ１９から出力されたＯＮ信号とＯＦＦ信号とによって設定された所定時間内における実使用者数を計数する。具体的には、センサ１９からＯＮ信号が出力された後、ＯＦＦ信号が出力されると、１人の使用者をカウントし、さらに、センサ１９からＯＮ信号が出力された後、ＯＦＦ信号が出力されると、１人の使用者をカウントし、所定時間内における実使用者数を積算する。たとえば、所定時間内にセンサ１９から５回のＯＮ，ＯＦＦ信号が出力されると、コントローラ１３は実使用者数を５人と判断する。コントローラ１３は、設定された所定時間が経過すると、積算した実使用者数を０とし、再び、センサ１９からのＯＮ，ＯＦＦ信号によって実使用者数を計数、積算する。
【００２２】
コントローラ１３は、想定使用者数と実使用者数とを比較する使用者数比較手段を実行する。使用者数比較手段においてコントローラ１３は、所定時間の経過直後、その所定時間内に計数、積算した実使用者数と設定された想定使用者数とを比較する。また、コントローラ１３は、次の所定時間が経過した直後、その所定時間内に計数、積算した実使用者数と設定された想定使用者数とを比較する。コントローラ１３は、あらかじめ設定された所定時間内における想定使用者数とセンサ１９が検出した所定時間内における実使用者数とを比較した結果、想定使用者数よりも実使用者数が多いときは洗浄水第１供給手段を実行し、想定使用者数よりも実使用者数が少ないときは洗浄水第２供給手段を実行する。
【００２３】
洗浄水第１供給手段においてコントローラ１３は、センサ１９から出力されたＯＮ信号とＯＦＦ信号とによって電磁弁２０に第１開信号を出力する。具体的には、センサ１９からＯＮ信号が出力された後、ＯＦＦ信号が出力されると、コントローラ１３が電磁弁２０に第１開信号を出力し、第１開信号を受け取った電磁弁２０が弁機構を開き、小便器１１内に通常供給量の洗浄水を供給する。コントローラ１３は、第１開信号を受け取ってから所定時間経過後、電磁弁２０に第１閉信号を出力する。第１閉信号を受け取った電磁弁２０は、開いた弁機構を閉じ、小便器１１への洗浄水の供給を停止する。洗浄水第１供給手段では、使用者が小便器１１を使用する度毎に洗浄水が小便器１１に供給され、小便器１１が洗浄される。
【００２４】
小便器１１への洗浄水の通常供給量は、約２〜４リットル／１回であるが、供給量に特に限定はなく、テンキーユニットによって自由に設定または変更することができる。通常供給量はコントローラ１３のメモリに記憶され、変更がない限り、コントローラ１３はその通常供給量を継続して使用する。第１閉信号の出力時間（第１開信号を出力してから第１閉信号を出力するまでの時間）は、たとえば、第１開信号出力から２秒や３秒等であり、テンキーユニットによって自由に設定または変更することができる。第１閉信号の出力時間はコントローラ１３のメモリに記憶され、変更がない限り、コントローラ１３はその出力時間を継続して使用する。
【００２５】
洗浄水第２供給手段においてコントローラ１３は、センサ１９からのＯＮ，ＯＦＦ信号にかかわらず、所定の時間間隔で電磁弁２０に第２開信号を出力する。具体的には、コントローラ１３が３分間隔や５分間隔等で電磁弁２０に第２開信号を出力し、第２開信号を受け取った電磁弁２０が弁機構を開き、小便器１１内に通常供給量の洗浄水を供給する。コントローラ１３は、第２開信号を出力してから所定時間経過後、電磁弁２０に第２閉信号を出力する。第２閉信号を受け取った電磁弁２０は、開いた弁機構を閉じ、小便器１１への洗浄水の供給を停止する。洗浄水第２供給手段では、使用者の有無にかかわらず、所定の間隔で洗浄水が小便器１１に間欠的に供給され、小便器１１が洗浄される。
【００２６】
第２開信号の出力間隔は、テンキーユニットによって自由に設定または変更することができる。第２開信号の出力間隔はコントローラ１３のメモリに記憶され、変更がない限り、コントローラ１３はその出力間隔を継続して使用する。第２閉信号の出力時間（第２開信号を出力してから第２閉信号を出力するまでの時間）は、たとえば、第２開信号出力から２秒や３秒等であり、テンキーユニットによって自由に設定または変更することができる。第２閉信号の出力時間はコントローラ１３のメモリに記憶され、変更がない限り、コントローラ１３はその出力時間を継続して使用する。
【００２７】
なお、洗浄水第２供給手段においてコントローラ１３は、センサ１９が使用者を検出したときに、電磁弁２０の弁機構を開いて通常の洗浄水の供給量よりも少ない供給量の臨時洗浄水を小便器１１に供給することもできる。具体的には、センサ１９からＯＮ信号が出力された後、ＯＦＦ信号が出力されると、コントローラ１３が電磁弁２０に第３開信号を出力し、第３開信号を受け取った電磁弁２０が弁機構を開き、小便器１１内に臨時洗浄水を供給する。コントローラ１３は、第３開信号を出力してから所定時間経過後、電磁弁２０に第３閉信号を出力する。第３閉信号を受け取った電磁弁２０は、開いた弁機構を閉じ、小便器１１への洗浄水の供給を停止する。
【００２８】
臨時洗浄水の供給量は、たとえば、通常供給量の１／３や１／５等であり、テンキーユニットによって自由に設定または変更することができる。臨時洗浄水の供給量はコントローラ１３のメモリに記憶され、変更がない限り、コントローラ１３はその供給量を使用する。また、第３閉信号の出力時間（第３開信号を出力してから第３閉信号を出力するまでの時間）は、たとえば、第３開信号出力から１秒や２秒等であり、テンキーユニットによって自由に設定または変更することができる。第３閉信号の出力時間はコントローラ１３のメモリに記憶され、変更がない限り、コントローラ１３はその出力時間を継続して使用する。
【００２９】
コントローラ１３は、使用者数比較手段によって比較した想定使用者数と実使用者数との較差が設定較差以上または設定較差以下であり、かつ、較差が設定較差以上または設定較差以下である回数が設定回数を超えたとき、想定使用者数を直近に計数した設定較差以上または設定較差以下の実使用者数に変更し、変更した想定使用者数を記憶する想定使用者数変更記憶手段を実行する。想定使用者数を変更した場合、コントローラ１３は、変更後の想定使用者数を使用して想定使用者数と実使用者数とを比較し、洗浄水第１供給手段と洗浄水第２供給手段とのいずれか一方を実行する。
【００３０】
設定較差は、たとえば、想定使用者数が５人である場合、５人±２人や５人±３人等であり、テンキーユニットによって自由に設定または変更することができる。設定較差はコントローラ１３のメモリに記憶され、変更がない限り、コントローラ１３はその設定較差を継続して使用する。設定回数は、たとえば、３回や５回等であり、テンキーユニットによって自由に設定または変更することができる。設定回数はコントローラ１３のメモリに記憶され、変更がない限り、コントローラ１３はその設定回数を継続して使用する。
【００３１】
なお、このシステム１０では、所定時間および想定使用者数とともに較差のみを設定し、回数を設定しなくてもよい。回数を設定しない場合、コントローラ１３は、較差が設定較差を１回超えたときに、想定使用者数変更記憶手段を実行する。また、このシステム１０では、所定時間および想定使用者数のみを設定し、較差と回数とを設定しなくてもよい。較差および回数を設定しない場合、コントローラ１３は、想定使用者数変更記憶手段を実行せず、最初に設定した想定使用者数を継続して使用する。
【００３２】
コントローラ１３は、洗浄水第２供給手段における弁機構を開く時間間隔を月単位、週単位、日単位、曜日単位、時間単位のいずれかによって変更する時間間隔変更手段を実行する。たとえば、初期設定の時間間隔が２分であり、初期設定から１ヶ月後に時間間隔を３分に変更し、さらに、１ヶ月後に時間間隔を２分に変更する。また、初期設定から３日後に時間間隔を３分に変更し、さらに、２日後に時間間隔を１分に変更する。あるいは、火曜の時間間隔を３分に変更し、土曜と日曜の時間間隔を１分に変更する。洗浄水第２供給手段における弁機構の開時間間隔は、テンキーユニットによって自由に設定または変更することができる。時間間隔はコントローラ１３のメモリに記憶され、変更がない限り、コントローラ１３はその時間間隔を使用する。
【００３３】
図２，３のフローチャートに基づいてこのシステム１０が実行するプロセスの一例を説明すると、以下のとおりである。なお、図２，３のフローチャートに示すプロセスでは、第１閉信号の出力時間や第２開信号の出力間隔、第２閉信号の出力時間、第３閉信号の出力時間、洗浄水の通常供給量、臨時洗浄水の供給量がすでにコントローラ１３に設定されているものとし、それらの設定変更処理の図示は省略する。第１閉信号の出力時間は３秒、第２開信号の出力間隔は５分に設定され、第２閉信号の出力時間は３秒、第３閉信号の出力時間は１秒に設定されているものとする。洗浄水の通常供給量は３リットル／１回、臨時洗浄水の供給量は０．５リットル／１回に設定されているものとする。
【００３４】
このシステム１０を起動させると、コントローラ１３は、所定時間や想定使用者数に変更があるかを問い合わせる（Ｓ−１）。コントローラ１３のディスプレイには、所定時間と想定使用者数との変更画面が表示され、変更の有無アイコンが表示される。所定時間や想定使用者数を変更するには、変更有アイコンをクリックした後、変更項目から所定時間の変更または想定使用者数の変更を選択する。所定時間の変更や想定使用者数の変更を選択すると、ディスプレイに所定時間の入力エリア、想定使用者数の入力エリアが表示される。テンキーユニットによってそれら入力エリアに各数値を入力し、変更登録アイコンをクリックすると、ディスプレイにそれら数値の再確認画面が表示される。確認アイコンをクリックすると、あらたに入力された所定時間や想定使用者数がコントローラ１３のメモリに格納され、変更後の所定時間や想定使用者数がシステム１０に設定される（Ｓ−２）。なお、所定時間や想定使用者数に変更がない場合は、変更無アイコンをクリックする。図２，３のフローチャートに示すプロセスでは、所定時間が１０分に設定され、想定使用者数が５人に設定されたものとする。
【００３５】
所定時間や想定使用者数を変更した後、または、変更画面において変更無アイコンをクリックすると、コントローラ１３は、較差や回数に変更があるかを問い合わせる（Ｓ−３）。コントローラ１３のディスプレイには、較差と回数との変更画面が表示され、変更の有無アイコンが表示される。較差や回数を変更するには、変更有アイコンをクリックした後、変更項目から較差の変更または回数の変更を選択する。較差の変更や回数の変更を選択すると、ディスプレイに較差の入力エリア、回数の入力エリアが表示される。テンキーユニットによってそれら入力エリアに各数値を入力し、変更登録アイコンをクリックすると、ディスプレイにそれら数値の再確認画面が表示される。確認アイコンをクリックすると、あらたに入力された較差や回数がコントローラ１３のメモリに格納され、変更後の較差や回数がシステム１０に設定される（Ｓ−４）。このフローチャートに示すプロセスでは、設定較差が±１人に設定され、設定回数が３回に設定されたものとする。なお、回数を設定しない場合は、変更画面に表示される較差と回数との設定のうちの回数設定なしを選択する。また、較差と回数とを設定しない場合は、変更画面に表示される較差と回数との設定のうちの較差設定なしおよび回数設定なしを選択する。
【００３６】
それら数値（制御量）に変更がなく、または、それら数値の変更設定が終了すると、コントローラ１３は、センサ１９から出力されたＯＮ信号とＯＦＦ信号とによって１０分間毎の実使用者数を計数する（Ｓ−５）。コントローラ１３は、設定された想定使用者数（５人）と計数した実使用者数とを比較し（使用者数比較手段）、想定使用者数よりも実使用者数が多いかまたは想定使用者数よりも実使用者数が少ないかを判断する（Ｓ−６）。さらに、コントローラ１３は、較差が設定較差（５人±１人）の範囲内にあるかを判断するとともに、回数（較差が設定較差の範囲外となる回数）が設定回数（３回）の範囲内にあるかを判断する（Ｓ−７）。実使用者の計数の結果、実使用者数が６人であり、それら使用者数を比較した結果、想定使用者数の５人よりも実使用者数が多いと判断するとともに、較差（５人＋１人）が設定較差（５人±１人）の範囲内にあり、かつ、回数が設定回数（３回）の範囲内にあると判断すると、コントローラ１３は、洗浄水第１供給手段を実行する（Ｓ−８）。なお、システム１０を起動してから最初の１０分間は、洗浄水第１供給手段を実行する。
【００３７】
洗浄水第１供給手段では、使用者が小便器１１の前に立つと、センサ１９からコントローラ１３にＯＮ信号が出力され、使用者が用を足し、使用者が小便器１１から離れると、センサ１９からコントローラ１３にＯＦＦ信号が出力される。ＯＮ，ＯＦＦ信号によって第１開信号がコントローラ１３から電磁弁２０に出力され、電磁弁２０が弁機構を開いて通常供給量（３リットル／１回）の洗浄水を小便器１１に供給する。第１閉信号の出力時間（第１開信号を出力してから３秒経過）になると、第１閉信号がコントローラ１３から電磁弁２０に出力され、電磁弁２０が弁機構を閉じて洗浄水の小便器１１への供給が停止する。
【００３８】
ステップ７（Ｓ−７）に戻って、実使用者を３回計数した結果、実使用者数が９人、９人、８人であり、較差（５人＋４人、５人＋４人、５人＋３人）が設定較差（５人±１人）の範囲外にあり、かつ、回数（較差が設定較差の範囲外となる回数）が連続して３回を超え、回数が設定回数（３回）の範囲外にあると判断すると、コントローラ１３は、想定使用者数変更記憶手段を実行する（Ｓ−９）。ステップ９（Ｓ−９）における想定使用者数変更記憶手段では、想定使用者数を直近に計数した設定較差以上の実使用者数（８人）に変更し、変更した想定使用者数（８人）を記憶する。なお、コントローラ１３は、想定使用者数を８人に変更すると、設定較差を８人±１人に変更する。なお、回数が３回までは、想定使用者数を引き続き５人として洗浄水第１供給手段を実行する（Ｓ−８）。
【００３９】
上述したように、回数を設定しない場合、コントローラ１３は、較差が設定較差を１回超えた時点で、想定使用者数変更記憶手段を実行し、想定使用者数を８人に変更するとともに、設定較差を８人±１人に変更し、それをメモリに格納する。コントローラ１３は、想定使用者数を８人とし、設定較差を８人±１人とした後、洗浄水第１供給手段または洗浄水第２供給手段を実行する。また、設定較差と設定回数とを設定しない場合、計数した実使用者数が８人であっても、想定使用者数を変更することなく、想定使用者数を５人として引き続き洗浄水第１供給手段または洗浄水第２供給手段を実行する。
【００４０】
ステップ９（Ｓ−９）において想定使用者数変更記憶手段を実行した後、コントローラ１３は、センサ１９から出力されたＯＮ信号とＯＦＦ信号とによって１０分間毎の実使用者数を計数する（Ｓ−５）。コントローラ１３は、変更した想定使用者数（８人）と計数した実使用者数とを比較し（使用者数比較手段）、想定使用者数よりも実使用者数が多いかまたは想定使用者数よりも実使用者数が少ないかを判断する（Ｓ−６）。さらに、コントローラ１３は、較差が設定較差（８人±１人）の範囲内にあるかを判断するとともに、回数（較差が設定較差の範囲外となる回数）が設定回数（３回）の範囲内にあるかを判断する（Ｓ−７）。実使用者の計数の結果、実使用者数が９人であり、それら使用者数を比較した結果、想定使用者数の８人よりも実使用者数が多いと判断するとともに、較差（８人＋１人）が設定較差（８人±１人）の範囲内にあり、かつ、回数（較差が設定較差の範囲外となる回数）が設定回数（３回）の範囲内にあると判断すると、コントローラ１３は、洗浄水第１供給手段を実行する（Ｓ−８）。
【００４１】
ステップ６（Ｓ−６）に戻って、実使用者の計数の結果、実使用者数が４人であり、それら使用者数を比較した結果、想定使用者数の５人よりも実使用者数が少ないと判断すると、コントローラ１３は、較差が設定較差（５人±１人）の範囲内にあるかを判断するとともに、回数（較差が設定較差の範囲外となる回数）が設定回数（３回）の範囲内にあるかを判断する（Ｓ−１０）。較差（５人−１人）が設定較差（５人±１人）の範囲内にあり、かつ、回数が設定回数（３回）の範囲内にあると判断すると、コントローラ１３は、洗浄水第２供給手段を実行する（Ｓ−１１）。
【００４２】
また、ステップ６（Ｓ−６）に戻って、実使用者の計数の結果、実使用者数が７人であり、それら使用者数を比較した結果、想定使用者数の８人よりも実使用者数が少ないと判断すると、コントローラ１３は、較差が設定較差（８人±１人）の範囲内にあるかを判断するとともに、回数（較差が設定較差の範囲外となる回数）が設定回数（３回）の範囲内にあるかを判断する（Ｓ−１０）。較差（８人−１人）が設定較差（８人±１人）の範囲内にあり、かつ、回数が設定回数（３回）の範囲内にあると判断すると、コントローラ１３は、洗浄水第２供給手段を実行する（Ｓ−１１）。
【００４３】
洗浄水第２供給手段では、コントローラ１３が５分間隔で電磁弁に第２開信号を出力し、第２開信号を受け取った電磁弁２０が弁機構を開き、小便器１１内に通常供給量の洗浄水を供給する。第２閉信号の出力時間（第２開信号を出力してから３秒経過）になると、第２閉信号がコントローラ１３から電磁弁２０に出力され、電磁弁２０が弁機構を閉じて洗浄水の小便器１１への供給を停止する。なお、洗浄水第２供給手段では、使用者が小便器１１の前に立ち、センサ１９からコントローラ１３にＯＮ信号が出力された後、使用者が用を足し、使用者が小便器１１から離れ、センサ１９からコントローラ１３にＯＦＦ信号が出力される。ＯＮ，ＯＦＦ信号によって第３開信号がコントローラ１３から電磁弁２０に出力され、電磁弁２０が弁機構を開いて通常供給量よりも少ない供給量（０．５リットル／１回）の臨時洗浄水を小便器１１に供給する。第３閉信号の出力時間（第３開信号を出力してから１秒経過）になると、第３閉信号がコントローラ１３から電磁弁２０に出力され、電磁弁２０が弁機構を閉じて洗浄水の小便器１１への供給を停止する。
【００４４】
想定使用者数変更記憶手段を実行しない場合であって、ステップ１０（Ｓ−１０）において、実使用者を３回計数した結果、実使用者数が１人、３人、３人であり、較差（５人−４人、５人−２人、５人−２人）が設定較差（５人±１人）の範囲外にあり、かつ、回数（較差が設定較差の範囲外となる回数）が設定回数（３回）の範囲外にあると判断すると、コントローラ１３は、想定使用者数変更記憶手段を実行する（Ｓ−１２）。ステップ１２（Ｓ−１２）における想定使用者数変更記憶手段では、想定使用者数を直近に計数した設定較差以上の実使用者数（３人）に変更し、変更した想定使用者数（３人）を記憶する。なお、コントローラ１３は、想定使用者数を３人に変更すると、設定較差を３人±１人に変更する。
【００４５】
コントローラ１３は、センサ１９から出力されたＯＮ信号とＯＦＦ信号とによって１０分間毎の実使用者数を計数する（Ｓ−１３）。コントローラ１３は、変更した想定使用者数（３人）と計数した実使用者数とを比較し（使用者数比較手段）、想定使用者数よりも実使用者数が多いかまたは想定使用者数よりも実使用者数が少ないかを判断する（Ｓ−１４）。さらに、コントローラ１３は、較差が設定較差（３人±１人）の範囲内にあるかを判断するとともに、回数（較差が設定較差の範囲外となる回数）が設定回数（３回）の範囲内にあるかを判断する（Ｓ−１５）。実使用者を計数した結果、実使用者数が４人であり、それら使用者数を比較した結果、想定使用者数の３人よりも実使用者数が多いと判断するとともに、較差（３人＋１人）が設定較差（３人±１人）の範囲内にあり、かつ、回数（較差が設定較差の範囲外となる回数）が設定回数（３回）の範囲内にあると判断すると、コントローラ１３は、洗浄水第１供給手段を実行する（Ｓ−１６）。
【００４６】
ステップ１４（Ｓ−１４）に戻って、実使用者を計数した結果、実使用者数が２人であり、それら使用者数を比較した結果、想定使用者数の３人よりも実使用者数が少ないと判断すると、コントローラ１３は、較差が設定較差（３人±１人）の範囲内にあるかを判断するとともに、回数（較差が設定較差の範囲外となる回数）が設定回数（３回）の範囲内にあるかを判断する（Ｓ−１０）。較差（３人−１人）が設定較差（３人±１人）の範囲内にあり、かつ、回数が設定回数（３回）の範囲内にあると判断すると、コントローラ１３は、洗浄水第２供給手段を実行する（Ｓ−１１）。なお、システム１０のスイッチをＯＦＦにすると、システム１０の稼動が停止する。ただし、コントローラ１３のメモリに格納された各種の設定値は消去されることなく、次にシステム１０を稼動させたときに設定をクリアしない限り、それらの設定値が引き続き使用される。
【００４７】
図２，３に示すプロセスを実行する小便器洗浄システム１０は、実使用者数が想定使用者数よりも多いと判断すると、センサ１９が使用者を検出する度毎に電磁弁２０の弁機構を開いて小便器１１に洗浄水を供給する洗浄水第１供給手段を実行し、実使用者数が想定使用者数よりも少ないと判断すると、電磁弁２０の弁機構を所定の時間間隔で開いて小便器１１に洗浄水を間欠的に供給する洗浄水第２供給手段を実行するから、使用者が多いときにおける小便器１１の衛生状態を確実に保持することができ、使用者が少ないときの洗浄水の使用量を少なくすることができる。このシステム１０は、小便器１１の衛生状態を良好に保持しつつ、洗浄水の節約を図ることができる。
【００４８】
小便器洗浄システム１０は、小便器１１の設置場所や設置数、使用者数の季節的な変動等の諸条件を考慮して想定使用者数を自由に設定することができるから、使用頻度が少ない小便器１１には想定使用者数を少なくして洗浄水の節約を図ることができ、使用頻度の多い小便器１１には想定使用者数を多くして洗浄水の節約を図ることができる。また、このシステム１０は、想定使用者数と実使用者数との較差が大きい状態が継続したときに想定使用者数を実使用者数に変更するから、現実の小便器１１の使用頻度に合致させた状態で洗浄水第１供給手段と洗浄水第２供給手段とのうちのいずれかを実行することができ、小便器１１の衛生状態を確実に保持しつつ、洗浄水の節約を確実に図ることができる。
【００４９】
小便器洗浄システム１０は、洗浄水第２供給手段においてセンサ１９が使用者を検出したときに、電磁弁２０の弁機構を開いて通常の洗浄水量よりも少ない量の臨時洗浄水を小便器１１に供給するから、使用者の検出によって少量の洗浄水を流すことで、弁機構を開く時間間隔が長い場合でも、小便器１１の汚れを防ぐことができ、小便器１１の衛生状態を良好に保持することができる。このシステム１０は、使用者の検出によって少量の臨時洗浄水を流すから、使用者が用を足した後に洗浄水を流さない場合と比較し、使用者に不快感を与えることはない。
【００５０】
図４は、このシステム１０が実行するプロセスの他の一例を示すフローチャートである。このフローチャートに示すプロセスが図２，３のそれと異なるところは、較差および回数の設定がなく、コントローラ１３が洗浄水第２供給手段における電磁弁２０の弁機構を開く時間間隔を月単位、週単位、日単位、曜日単位、時間単位のいずれかによって変更する時間間隔変更手段を実行する点にある。なお、このフローチャートに示すプロセスでは、図２，３のそれと同様に、第１閉信号の出力時間や第２閉信号の出力時間、第３閉信号の出力時間、洗浄水の通常供給量、臨時洗浄水の供給量がすでにコントローラ１３に設定されているものとする。なお、第１閉信号の出力時間は３秒、第２閉信号の出力時間は２秒、第３閉信号の出力時間は１秒に設定され、洗浄水の通常供給量は２リットル／１回、臨時洗浄水の供給量は０．３リットル／１回に設定されている。さらに、所定時間は５分、想定使用者数は６人に設定されている。所定時間および想定使用者数の変更設定（ステップ２０（Ｓ−２０）〜ステップ２１（Ｓ−２１））は図２，３のそれ（ステップ１（Ｓ−１）〜ステップ２（Ｓ−２））と同様であるから、その説明は省略する。
【００５１】
所定時間や想定使用者数を変更した後、または、変更画面において変更無アイコンをクリックすると、コントローラ１３は、開閉時間間隔に変更があるかを問い合わせる（Ｓ−２２）。開閉時間間隔の変更では、月単位、週単位、日単位、曜日単位、時間単位のいずれかにおける洗浄水第２供給手段の弁機構を開く時間間隔（第２開信号の出力間隔）を変更する。コントローラ１３のディスプレイには、開閉時間間隔の変更画面が表示され、変更の有無アイコンが表示される。開閉時間間隔を変更するには、変更有アイコンをクリックした後、変更項目から開閉時間間隔の変更を選択する。開閉時間間隔の変更を選択すると、ディスプレイに月、週、日、曜日、時間の各入力エリアと時間間隔の入力エリアとが表示される。テンキーユニットによってそれら入力エリアに各数値を入力し、変更登録アイコンをクリックすると、ディスプレイにそれら数値の再確認画面が表示される。確認アイコンをクリックすると、あらたに入力された開時間間隔がコントローラ１３のメモリに格納され、変更後の開時間間隔がシステム１０に設定される（Ｓ−２３）。図４のフローチャートに示すプロセスでは、第２開信号の出力間隔が曜日単位で設定され、初期設定における第２開信号の出力間隔が２分であり、月曜、水曜、金曜を初期設定とし、火曜の時間間隔が３分に設定され、土曜と日曜の時間間隔が１分に設定されている。
【００５２】
第２開信号の出力間隔を設定すると、コントローラ１３は、センサ１９から出力されたＯＮ信号とＯＦＦ信号とによって５分間毎の実使用者数を計数する（Ｓ−２４）。コントローラ１３は、設定された想定使用者数（６人）と計数した実使用者数とを比較し（使用者数比較手段）、想定使用者数よりも実使用者数が多いかまたは想定使用者数よりも実使用者数が少ないかを判断する（Ｓ−２５）。実使用者の計数の結果、実使用者数が８人であり、それら使用者数を比較した結果、想定使用者数の６人よりも実使用者数が多いと判断すると、コントローラ１３は、洗浄水第１供給手段を実行する（Ｓ−２６）。洗浄水第１供給手段は、図２，３のフローチャートに示すプロセスのそれと同一であるから、その説明は省略する。なお、システム１０を起動してから最初の５分間は、洗浄水第１供給手段を実行する。
【００５３】
ステップ２５（Ｓ−２５）に戻って、実使用者の計数の結果、実使用者数が４人であり、それら使用者数を比較した結果、想定使用者数の６人よりも実使用者数が少ないと判断すると、コントローラ１３は、曜日による電磁弁２０の弁機構の開時間間隔の変更があるかを判断する。コントローラ１３は、それのタイマ機能によって曜日を特定し、特定した曜日によって開時間間隔を変更するかを判断する（Ｓ−２７）。たとえば、特定した曜日が月曜、水曜、金曜のいずれかである場合、コントローラ１３は、開時間間隔を変更せず、洗浄水第２供給手段を実行する（Ｓ−２８）。
【００５４】
洗浄水第２供給手段では、コントローラ１３が２分間隔で電磁弁２０に第２開信号を出力し、第２開信号を受け取った電磁弁２０が弁機構を開き、小便器１１内に通常供給量の洗浄水を供給する。第２閉信号の出力時間（第２開信号を出力してから２秒経過）になると、第２閉信号がコントローラ１３から電磁弁２０に出力され、電磁弁２０が弁機構を閉じて洗浄水の小便器１１への供給を停止する。洗浄水第２供給手段では、使用者が小便器１１の前に立ち、センサ１９からコントローラ１３にＯＮ信号が出力された後、使用者が用を足し、使用者が小便器１１から離れ、センサ１９からコントローラ１３にＯＦＦ信号が出力される。ＯＮ，ＯＦＦ信号によって第３開信号がコントローラ１３から電磁弁２０に出力され、電磁弁２０が弁機構を開いて通常供給量よりも少ない供給量（０．３リットル／１回）の臨時洗浄水を小便器１１に供給する。第３閉信号の出力時間（第３開信号を出力してから１秒経過）になると、第３閉信号がコントローラ１３から電磁弁２０に出力され、電磁弁２０が弁機構を閉じて洗浄水の小便器１１への供給を停止する。
【００５５】
ステップ２７（Ｓ−２７）に戻り、特定した曜日が土曜日の場合、コントローラ１３は、開時間間隔を２分から１分に変更する時間間隔変更手段を実行した後（Ｓ−２９）、洗浄水第２供給手段を実行する（Ｓ−２８）。洗浄水第２供給手段では、コントローラ１３が１分間隔で電磁弁２０に第２開信号を出力し、第２開信号を受け取った電磁弁２０が弁機構を開き、小便器１１内に通常供給量の洗浄水を供給する。第２閉信号の出力時間になると、第２閉信号がコントローラ１３から電磁弁２０に出力され、電磁弁２０が弁機構を閉じて洗浄水の小便器１１への供給を停止する。なお、使用者が検出される度毎に臨時洗浄水が小便器１１に供給される。
【００５６】
図４に示すプロセスを実行する小便器洗浄システム１０は、洗浄水第２供給手段における電磁弁２０の弁機構を開く時間間隔を月単位、週単位、日単位、曜日単位、時間単位のいずれかによって変更するから、小便器１１における使用頻度の季節変動や時間変動等を考慮して弁機構の開時間間隔を決めることができる。このシステム１０は、使用頻度が低い月や週、日、曜日、時間において電磁弁２０の弁機構の開時間間隔を長くすることで、洗浄水の節約を図ることができ、使用頻度が高い月や週、日、曜日、時間において電磁弁２０の弁機構の開時間間隔を短くすることで、小便器１１の衛生状態を良好に保持することができる。
【００５７】
この小便器洗浄システム１０は、洗浄水第２供給手段においてセンサ１９が使用者を検出したときに、電磁弁２０の弁機構を開いて通常の洗浄水量よりも少ない量の臨時洗浄水を小便器１１に供給するから、使用者の検出によって少量の洗浄水を流すことで、弁機構を開く時間間隔が長い場合でも、小便器１１の汚れを防ぐことができ、小便器１１の衛生状態を良好に保持することができる。また、使用者が用を足した後に洗浄水を流さない場合と比較し、使用者に不快感を与えることはない。
【００５８】
なお、この小便器洗浄システム１０では、洗浄水第２供給手段において臨時洗浄水を供給しなくてもよい。また、このシステム１０は、個々の小便器１１においてそれぞれ異なる設定を行うことができ、個々の小便器１１の使用頻度に合わせた洗浄水の供給を行うこともできる。さらに、各トイレ室毎においてそれぞれ異なる設定を行うこともでき、各トイレ室の使用頻度に合わせた洗浄水の供給を行うこともできる。
【００５９】
この小便器洗浄システム１０では、コントローラ１３が各給水制御ユニット１２に内蔵され、個々の小便器１１がそれらコントローラ１３によって制御されることで、それら小便器１１が独立して制御動作を行うようにすることもできる。この場合、コントローラ１３に格納された各数値（各制御量）の設定や変更は、小便器１１毎に行うようにすることもできるが、各小便器の給水制御ユニット１２が１つの中央管理装置に接続され、各数値の設定や変更を中央管理装置を介して行うこともできる。
【図面の簡単な説明】
【００６０】
【図１】一例として示す小便器洗浄システムの概念図。
【図２】システムが実行するプロセスの一例を示すフローチャート。
【図３】図２から続くフローチャート。
【図４】システムが実行するプロセスの他の一例を示すフローチャート。
【符号の説明】
【００６１】
１０      小便器洗浄システム
１１      小便器
１３      コントローラ
１５      給水管
１７      排水管
１９      人感センサ
２０      電磁弁
【図１】
2008291460.tif 000003
【図２】
2008291460.tif 000004
【図３】
2008291460.tif 000005
【図４】
2008291460.tif 000006